(57)【要約】【課題】  圃場から収穫された作物に付着する泥塊を搬送工程中に多く除去することで前述の選別作業や搬送作業を行い易くすることを課題とする。【解決手段】  収穫物（Ｘ）を載置して搬送する第一搬送装置(３０)と、該第一搬送装置(３０)の搬送終端部から第一搬送装置(３０)と同じ搬送方向に収穫物を搬送する第二搬送装置(３１)とを設け、前記第一搬送装置(３０)と第二搬送装置(３１)は無端帯（３０ａ，３１ａ）所定間隔で複数並列して設け、第一搬送装置(３０)の無端帯（３０ａ）の搬送終端部と第二搬送装置(３１)の無端帯（３１ａ）搬送始端部とを同軸にかつ交互に巻回する構成としたことを特徴とする収穫物搬送装置の構成とする。【選択図】  図４
2006333745.tif 000002
【特許請求の範囲】
【請求項１】
収穫物（Ｘ）を載置して搬送する無端帯（３０ａ）を所定間隔で複数並列して設け、同じ方向に回転駆動する構成としたことを特徴とする収穫物搬送装置。
【請求項２】
収穫物（Ｘ）を載置して搬送する第一搬送装置(３０)と、該第一搬送装置(３０)の搬送終端部から第一搬送装置(３０)と同じ搬送方向に収穫物（Ｘ）を搬送する第二搬送装置(３１)とを設け、前記第一搬送装置(３０)と第二搬送装置(３１)は無端帯（３０ａ，３１ａ）所定間隔で複数並列して設け、第一搬送装置(３０)の無端帯（３０ａ）の搬送終端部と第二搬送装置(３１)の無端帯（３１ａ）搬送始端部とを同軸にかつ交互に巻回する構成としたことを特徴とする収穫物搬送装置。
【発明の詳細な説明】
【技術分野】
【０００１】
圃場から収穫した根菜類等の収穫物の搬送装置に関するものである。
【背景技術】
【０００２】
特許文献１には、平ベルトで収穫物を搬送する技術が記載されている。
【特許文献１】特開２００３−３３１０５号公報
【発明の開示】
【発明が解決しようとする課題】
【０００３】
圃場から収穫した根菜類等の収穫物には泥塊が付着しており、搬送工程の後工程に行う収穫物の選別作業がし難くなる。また、泥塊の付着したままの収穫物が収容容器に収容されると収容容器の重量が重くなり搬送作業がし難くなる。
【０００４】
本発明は、圃場から収穫された作物に付着する泥塊を搬送工程中に多く除去することで前述の選別作業や搬送作業を行い易くすることを課題とする。
【課題を解決するための手段】
【０００５】
本発明は、上記課題を解決するために以下のような技術的手段を講じた。
即ち、請求項１においては、収穫物（Ｘ）を載置して搬送する無端帯（３０ａ）を所定間隔で複数並列して設け、同じ方向に回転駆動する構成としたことを特徴とする収穫物搬送装置とする。
【０００６】
また、請求項２においては、収穫物（Ｘ）を載置して搬送する第一搬送装置(３０)と、該第一搬送装置(３０)の搬送終端部から第一搬送装置(３０)と同じ搬送方向に収穫物を搬送する第二搬送装置(３１)とを設け、前記第一搬送装置(３０)と第二搬送装置(３１)は無端帯（３０ａ，３１ａ）所定間隔で複数並列して設け、第一搬送装置(３０)の無端帯（３０ａ）の搬送終端部と第二搬送装置(３１)の無端帯（３１ａ）搬送始端部とを同軸にかつ交互に巻回する構成としたことを特徴とする収穫物搬送装置とする。
【発明の効果】
【０００７】
請求項１記載の発明においては、無端帯（３０ａ）を所定間隔で複数並列して設けたことで、隣接する無端帯間には空間が形成されるため、無端帯（３０ａ）に載置して搬送される収穫物（Ｘ）に付着する泥塊が隣接する無端帯間の空間から落下しやすくなるため、収穫物（Ｘ）に付着する泥塊の除去が促進され、後工程に行う選別作業や搬送作業を行いやすくすることができる。
【０００８】
請求項２記載の発明においては、無端帯（Ｘ）を所定間隔で複数並列して設けた第一搬送装置(３０)と第二搬送装置(３１)を同じ搬送方向に複数連続して設ける場合に、第一搬送装置(３０)の無端帯（３０ａ）の搬送終端部と第二搬送装置(３１)の無端帯（３１ａ）の搬送始端部とを同軸にかつ交互に巻回する構成としたことで、第一搬送装置（３０）から第二搬送装置（３１）への引継ぎが円滑に行える。また、第一搬送装置（３０）及び第二搬送装置（３１）の何れでも収穫物（Ｘ）に付着する泥塊の除去が行うことができるため、泥塊の除去可能範囲が広がり、泥塊の除去を促進することができる。
【発明を実施するための最良の形態】
【０００９】
本発明を実施するための最良の形態の一つとして、人参等の根菜類を圃場から収穫する根菜類収穫機がある。以下に、本発明を実施した根菜類収穫機について詳細に説明する。なお、本実施例で機体の進行方向に向かって左側を左、右側を右と呼ぶ。
【００１０】
根菜類収穫機１は、機体を自走させる走行装置２と、搭乗した操縦者によって操作される操作具を配置した操縦部３と、圃場に植生する根菜類Ｘの茎葉部を引き起こす引起し装置４と、圃場内の根菜類Ｘを掘り起こす掘り起こし刃１１と、掘り起こした根菜類の茎葉部を挟持して後側斜め上方に搬送する挟持搬送ベルト５と、挟持搬送ベルト５で挟持搬送された根菜類Ｘの茎葉部を切断する切断装置６と、切断装置６で茎葉部を切断され、落下した根菜類Ｘを搬送しながら根菜類Ｘに付着する残葉を除去する残葉処理装置７と、残葉処理装置７で残葉処理された根菜類Ｘを引き継いで搬送する搬送装置８と、搬送装置８で搬送された根菜類Ｘを収容する収容容器Ｃを載置する収穫物載置部９とを備えている。
【００１１】
また、前記走行装置２は駆動回転する左右一対のクローラ１０Ｌ，１０Ｒを備え、前記挟持搬送ベルト５は機体の左右一方側に配置し、前記収穫物載置部９は機体の左右他方側に配置し且つ該収穫物載置部９を配置した側のクローラ１０Ｒの左右外端部より収穫物載置部９の左右外端部が左右方向外側に位置する状態に配置している。そして、前記収穫物載置部９を配置した側のクローラ１０Ｒの接地部を左右反対側のクローラ１０Ｌの接地部より下方に位置する状態に下動可能に設けている。
【００１２】
以下に、根菜類収穫機１の各部の具体的な構成を説明する。
機体左側の前部に設ける引起し装置４は地上から植生している根菜類Ｘの茎葉部を引き起こす多数のラグ４ａを備えている。
【００１３】
引起し装置４の下方には圃場内の根菜類Ｘの周囲の土を掘り起こす掘り起こし刃１１を設けている。そして、掘り起こし刃１１の上方には挟持搬送ベルト５の挟持搬送始端部が臨む構成としている。
【００１４】
挟持搬送ベルト５は互いに左右対向する一対のベルトの周側面が互いに圧接する状態でベルト面が後方に移動するよう回転する構成としている。
挟持搬送ベルト５の搬送途中の下側には根菜類Ｘの尻尾の毛を除去する尻尾切除装置１３を設けているが、根菜類Ｘの搬送方向と反対側、あるいは垂直方向に回転する回転刃（図示せず）を内装し、複数並列して構成している。
この挟持搬送ベルト５の搬送終端側には根菜類Ｘの茎葉部を切断する切断装置６を設けている。挟持搬送ベルト５で根菜類を搬送する途中で根菜類Ｘの茎葉部を引継いで挟持して機体後方水平状に搬送する排葉ベルト２１を、左右挟持搬送ベルト４の終端部分の下方に略水平姿勢で左右一対に設けている。また、この排葉ベルト２１に茎葉部を引継ぎ搬送するときに、根菜類Ｘの上端部に係合して根菜類Ｘの上昇を規制し根菜類Ｘの高さを切断装置６に対して設定高さに揃えるための位置揃えベルト２２を設けている。この位置揃えベルト２２の後端部後方に、切断装置６を配置し、挟持搬送ベルト４で搬送されてきた根菜類Ｘの茎葉部を切断する。切断された根菜類Ｘは下方に落下し、茎葉部は排葉ベルト２１で機体後方に搬送されて機体後部側から排出される構成である。
【００１５】
切断装置６は左右一対からなり、それぞれ異なる回転数に設定している。
切断装置６で茎葉部を切断され落下した根菜類Ｘは、切断装置６の下方に位置する残葉処理装置７に落下する。残葉処理装置７は機体の左右内側、すなわち機体右側方向に根菜類Ｘを搬送する残葉処理コンベア２４と、残葉処理コンベア２４の搬送終端側の上方には回転駆動する残葉処理ローラ２５とから構成している。
【００１６】
残葉処理コンベア２４は平坦な面を有するベルトコンベアで構成し、その移送下手側のベルト上面に下側がベルト回転方向と同方向に向って駆動回転する残葉処理ローラ２５を、該ローラ前端部側が後端部側に比べて左右方向において機体内側になるように平面視傾斜状態で配置して設けている。そして、残葉処理コンベア２４の周回内側にはベルトコンベアを支持すると共に、ベルトコンベア内に泥が流入するのを防止する支持部材７０を設けている。
【００１７】
支持部材７０は搬送方向左右両側の支持部７０ａ，７０ｂと残葉処理ローラ２５に沿って支持部７０ａ，７０ｂとを連結する連結部７０ｃとからなり、平面視略Ｎ字状に形成している。
【００１８】
支持部７０ａ，７０ｂは下側に屈曲して形成し、該屈曲部７０ｄはベルトコンベアの周回内に泥が入り込むのを防止している。
残葉処理ローラ２５の前端部２５ａは支持部７０ａと上下方向で重ならない位置にあり、前端部２５ａの下方に対向する連結部７０ｃに切欠き部Ｖを設け、残葉処理ローラ２５の前端部２５ａに対向するベルトの下方を開放状態としている。そして，残葉処理ローラ２５の前端部２５ａから搬送方向斜め前方向に向かってステー７１を設け、該ステー７１と残葉処理コンベア２４のベルト面とを間隔（図示せず）を設けている。なお、ステー７１と残葉処理コンベア２４のベルト面とを間隔（図示せず）は残葉処理ローラ２５と残葉処理コンベア２４との間隔Ｈよりも大きく構成している。
【００１９】
次に搬送装置８について詳述する。搬送装置８は残葉処理装置７で残葉処理された根菜類Ｘを受け継いで搬送する第一搬送装置３０と第一搬送装置３０で搬送された根菜類Ｘを受け継いでと搬送する第二搬送装置３１とから構成される。第一搬送装置３０と第二搬送装置３１はそれぞれＶベルト３０ａ,３１ａを所定間隔で複数本並列して設け、第一搬送
装置３０のＶベルト３０ａの搬送終端側と第二搬送装置３１aの搬送始端側とを同じ軸３２に交互に巻回する構成としている。本実施例では軸３２に取り付けているプーリに巻回している。なお、第一搬送装置３０の両端のＶベルト３０ａが第二搬送装置３１の両端のＶベルト３１ａよりも内側に配置している。
【００２０】
第一搬送装置３０は残葉処理装置７の機体前側に隣接して備え、残葉処理コンベア２４と同じ方向に搬送する構成としている。また、第一搬送装置３０は搬送始端側から搬送終端側に向かって下方に斜め傾斜して構成し、第一搬送装置３０の搬送終端部、すなわち第二搬送装置３１の搬送始端部は残葉処理ローラ２５の前端部２５ａに対向する位置に配置している。また、軸３２は残葉処理コンベア２４よりも下方に位置する構成で残葉処理されて供給された第一搬送装置３０に供給された根菜類が一時的に貯留できるよう構成している。
【００２１】
第二搬送装置３１は搬送始端部から搬送終端部に向かって機体左右方向斜め上方に傾斜して配置され、Ｖベルト３１ａにはそれぞれ根菜類Ｘを持ち上げ搬送するための支持体３１ｂを複数個ずつ取り付けている。
【００２２】
第二搬送装置３１の搬送終端部は選別搬送装置３５の搬送始端部と対向する構成とし、選別搬送装置３５は機体後方に向かって配置する構成である。選別搬送装置３５の側方には選別搬送装置３５で搬送される根菜類Ｘから不良品を取り除く選別作業を行う作業者が機体上に搭乗するための搭乗部３６を設けている。搭乗部３６には、作業者が機体上に容易に搭乗し作業が行えるようシート３７を設けている。更に、搭乗部３６の左右方向機体外側部に機体前部から機体後部にわたってコンテナＣを前後一列に複数載置できる収穫物載置部９を設けていて、この積載部９上に収穫物で満杯の収容容器Ｃを載置しながら収穫作業を進めることで能率よく作業が行えるものとなる。この収穫物載置部９は、機体内側に回動可能に取り付けて折畳み可能な構造等にすることで機体内側に収納可能に設けている。
【００２３】
次に本実施例の根菜類収穫機の根菜類の収穫作業について説明する。
根菜類収穫機１は走行しながら圃場の根菜類Ｘを連続して掘り起こして収穫していく。
まず、引起し装置４のラグ４ａが上下方向に周回して圃場Ｕから植生する茎葉を掻き上げる。そして、掘り起こし刃１１が圃場Ｕ内の根菜類Ｘの周囲の土を掘り起こして根菜類Ｘを持ち上げ、挟持搬送ベルト４が茎葉部を挟持して根菜類Ｘを吊り下げ搬送する。
【００２４】
挟持搬送ベルト４で機体後方に向かって搬送された根菜類Ｘは切断装置５で茎葉部が切断され、根菜類Ｘは下方に落下し、茎葉部は排葉ベルト２１で機体後方に搬送されて機体後部側から排出される。
【００２５】
根部Ｘは残葉処理装置７の残葉処理コンベア２４に落下し、残葉処理コンベア２４によって根菜類Ｘが移送される。そして、移送される根菜類Ｘが搬送終端側の残葉処理ローラ２５に当ると、残葉処理ローラ２５に沿って第一搬送装置側に移動しながら切断装置６によって切断された後に残葉が付着する根菜類Ｘの場合、残葉が残葉処理コンベア２５のベルト上面と残葉処理ローラ２５との間に引き込まれて取り除かれることになる。
【００２６】
そのとき、石等の固形異物Ｐが根菜類Ｘと共に残葉処理コンベア２４に供給される場合がある。残葉処理ローラ２５と残葉処理コンベア２４との間隔よりも固形異物が小さい場合には固形異物Ｐは残葉処理ローラ２５と残葉処理コンベア２４との間Ｈを通過して残葉処理コンベア２４の搬送終端側より排出される。それに対し、残葉処理ローラ２５と残葉処理コンベア２４との間隔よりも固形異物Ｐが大きい場合には、固形異物Ｐは残葉処理ローラ２５に沿って残葉処理ローラ２５の前端部２５ａまで移動し、切欠き部Ｖに残葉処理コンベア２４が撓み、固形異物Ｐが残葉処理ローラ２５と残葉処理コンベア２４との間隔Ｈを通過して機外に排出される。もしくはステー７１と残葉処理コンベア２４との間を通過して排出される。この構成により、固形異物Ｐが残葉処理ローラ２５と残葉処理コンベア２４間で噛み込むことを防止している。
【００２７】
残葉処理装置７で残葉処理がなされた根菜類Ｘは第一搬送装置３０に落下し、Ｖベルト３０ａに載置され搬送され、次いで第二搬送装置３１のＶベルト３１ａに引き継がれて支持体３１ａで支持され、持ち上げ搬送される。Ｖベルト３０ａ，３１ａで搬送されながら、根菜類Ｘに付着する泥は隣接するＶベルト３０ａ，又は３１ａ間の空間に落下していく。
第二搬送装置３１で搬送された根菜類Ｘは選別搬送装置３５の搬送始端側に落下供給され、機体後方に向かって搬送される。その搬送途中でシート３７に着座する作業者が不良品を除去していき、良品の根菜類Ｘが選別搬送装置３５の搬送終端部に設ける収容容器Ｃに収容され、満杯になった収容容器Ｃは収穫物載置部９に順次載置される。
【００２８】
第一搬送装置３０及び第二搬送装置３１を本実施例のように、第一搬送装置３０の搬送終端部と第二搬送装置３１の搬送始端部とを同軸にかつＶベルト３０ａ、Ｖベルト３１ａを交互に巻回する構成としたことで、第一搬送装置３０から第二搬送装置３１への引継ぎが円滑に行えるものでありながら、軸３２が共用できるためコンパクトで安価な構成にすることができる。また、第一搬送装置３０から第二搬送装置３１の搬送方向を上方に変更して搬送することが可能になり、根菜類（収穫物）を高い位置まで持ち上げ搬送することが可能になる。従って、収容容器Ｃを大きなものにして多くの根菜類（収穫物）を収容して収穫作業能率を向上させることが可能となる。また、第一搬送装置３０及び第二搬送装置３１の何れでも作物に付着する泥塊の除去が行うことができるため、泥塊の除去可能範囲が広がり、泥塊の除去を促進することができる。特に根菜類収穫機１に使用することで収穫作業の振動が伝わるため、泥落しが促進される。さらに、第一搬送装置３０の両端のＶベルト３０ａが第二搬送装置３１の両端のＶベルト３１ａよりも内側に配置していることで、収穫物の引継ぎが円滑になる。また、Ｖベルトを用いることで根菜類Ｘ傷つき難く、また搬送装置の幅をコンパクトな構成でありながら根菜類Ｘが落下しない間隔に設け、かつ根菜類Ｘに付着する泥が落下する空間を広く取ることが可能になる。
【００２９】
次に、搬送装置８の別実施例について説明する。
この実施例の搬送装置８は搬送終端側をペダル６９の操作でシリンダ６７により上昇する搬送コンベア６０で構成する。搬送コンベア６０収穫作物の搬送面に作物の一側を支持するよう所定の幅を有する突起体６１を搬送方向に沿って所定間隔で多数形成する。そして、多数の突起体６１は搬送コンベア６０の幅方向に亘って複数列形成し、隣接する列の突起体６１を千鳥足状に設けている。また、本実施例の突起体６１は図５に示すように搬送面の搬送終端位置から非搬送面になる位置Ｂに達するとコンベア面からの突起位置の高さＱが搬送時の突起の高さＲよりも低くなるよう軟性体の部材で形成されている。
【００３０】
搬送コンベア６０の搬送終端部には収容袋６４内の根菜類を検出できるセンサ（図示せず）を設け、センサの検出結果に基づいて収容袋６４を上昇させても良い。またはスイッチ８５で搬送コンベア６１の上下動を行うようにしても良い。
【００３１】
また、搬送コンベア６１が上動すると収容袋載置部６８が機体内側に折りたためるようにしても良い。また、搬送コンベア６１の上下動を検出するリミットスイッチ（図示せず）を設けている。８１は不良品の根菜類Ｘを廃棄するシュータである。
【００３２】
次に本実施例の野菜収穫機の収穫作業について説明する。
走行装置２で走行しながら圃場の根菜類Ｘの周囲の土を掘り起こし刃１１で掘り起こしながら挟持搬送ベルト４の挟持搬送始端部側で作物の茎葉を挟持し、後ろ斜め上方に向かって搬送される。挟持搬送ベルト４の搬送途中で、排葉ベルト２１が根菜類Ｘの茎葉部を引き継ぐと共に、位置揃えベルト２２で根菜類Ｘの高さを一定に揃えて切断装置６で茎葉部を切断する。そして、茎葉部は排葉ベルト２１で機体後方に放出されると共に、根菜類Ｘは残葉処理コンベア２４上に落下する。
【００３３】
前記実施例で記載されているのと同様に残葉処理装置コンベア２４と残葉処理ローラ２５とで残葉の除去が行われ、搬送コンベア６０に供給される。
搬送コンベア６０に排出された根菜類Ｘは突起体６１によって根菜類Ｘの一側が支持された状態で機体横方向に向かって持ち上げ搬送される。このとき収穫された根菜類Ｘの大きさ・形状は不揃いであり、特に大きな根菜類Ｘの場合に突起体６０で支持しにくく、持ち上げ搬送しにくい場合があるが、このような作物は図６の根菜類Ｘ１の状態のように一方の突起体６１ａの内側の一端と千鳥足状に隣接する突起体６１ｂの内側の一端とで挟まることで、持ち上げ搬送される。そして、搬送コンベア６０の搬送終端側から収容袋６４に排出される。
【００３４】
空の状態の収容袋６４に根菜類Ｘを収容し始めるときは、搬送コンベア６０の搬送終端部と収容袋上部支持手段６５とを共に低い位置に下降しておき、根菜類Ｘが収容袋６４内に落下する距離を小さくする。そして、根菜類Ｘの収容量が次第に増えていくに従い、作業者はシート３７に着座し、不良品の根菜類Ｘの選別作業を行い、かつ、収容袋６４内への根菜類Ｘの収容状況を確認しながら搬送コンベア６０の搬送終端部側をペダル６９を踏んで適宜上昇操作する。そして、搬送コンベア６０の搬送終端部と収容袋上部支持手段６５を共に上昇させていくことで、収容袋６４から根菜類Ｘが溢れ出ないようにしながら満杯状態になるまで収容袋６４に根菜類Ｘを収容する。
【００３５】
本実施例の構成により、従来のような搬送コンベア面に一つの突起体を設ける構成においては、大きな根菜類の場合に持ち上げにくかったが、大きな作物を持ち上げ搬送する時に隣接する千鳥足状の二つの突起体６１ａ，６１ｂ間で挟むようにして持ち上げ搬送することができるため、搬送コンベア６０の搬送始端部で搬送されない作物が滞留状態となることを防止し、搬送コンベア６０の搬送能力を向上させることができる。特に搬送コンベア６１が上下動するものに本実施例の構成にすることで、作物を持ち上げ搬送しやすい。
【００３６】
また、本実施例のように搬送コンベア６０の突起体６１を軟性体にすることで、搬送終端時に突起の高さが低くなるため、作物を押し出す作用が少なくなり、作物が搬送コンベア６０の終端側より勢いよく飛び出して作物に傷が付きやすくなるのを防止することができる構成の場合に、根菜類Ｘが搬送方向前方で支持している突起体６１ａ（又は６１ｂ）が搬送終端部で突起が隣接する突起よりも先に引っ込むため、根菜類は突起体６１ｂ（又は６１ａ）に引っかかることなく収容袋１８に落下収容することができる。また、突起体６１が軟性の部材で形成されているため、根菜類Ｘを挟んでも根菜類Ｘが傷つけにくく、また、いろいろな大きさの根菜類Ｘも挟みやすい。
【００３７】
なお、他にも図示はしないが二列の突起体の配列を内側に向かって斜めに構成したりして根菜類Ｘを挟持できる構成としても良い。
【産業上の利用可能性】
【００３８】
本発明は、根菜類の収穫機について記載されているが、収穫した作物を洗浄機等まで搬送する搬送装置や作物を調整する調整機に用いても良い。
【図面の簡単な説明】
【００３９】
【図１】根菜類収穫機の左側面図
【図２】根菜類収穫機の平面図
【図３】根菜類収穫機の背面図
【図４】発明の要部の平面図
【図５】（ａ）残葉処理装置の斜視図        （ｂ）支持部材７０の斜視図        （ｃ）残葉処理装置の断面図
【図６】別実施例の平面図
【図７】背面から見た別実施例の斜視図
【図８】搬送コンベア６０の側面図
【図９】別実施例の平面図
【符号の説明】
【００４０】
Ｘ  収穫物
３０  第一搬送装置
３１  第二搬送装置
３０ａ  Ｖベルト
３１ａ  Ｖベルト
【図１】
2006333745.tif 000003
【図２】
2006333745.tif 000004
【図３】
2006333745.tif 000005
【図４】
2006333745.tif 000006
【図５】
2006333745.tif 000007
【図６】
2006333745.tif 000008
【図７】
2006333745.tif 000009
【図８】
2006333745.tif 000010
【図９】
2006333745.tif 000011